(57)【特許請求の範囲】
【請求項１】
差動変換された差動信号を受信して、当該受信された差動信号をシングルエンド信号にシングルエンド変換する差動増幅部と、
１ユニットインターバル間隔の複数の２値判別タイミングに含まれる第１の２値判別タイミングから１ユニットインターバル前までの中間点又はその近傍点にある第１の３値判別タイミングにおける上記シングルエンド信号の振幅レベルを３値判別し、上記第１の２値判別タイミングから１ユニットインターバル後までの中間点又はその近傍点にある第２の３値判別タイミングにおける上記シングルエンド信号の振幅レベルを３値判別し、上記第１及び第２の３値判別タイミングにおける上記シングルエンド信号の振幅レベルの３値判別結果に基づいて、上記第１の２値判別タイミングにおける上記シングルエンド信号の振幅レベルを２値判別し、当該２値判別に対応する２値信号を出力するロジック回路とを備え、
上記ロジック回路は、上記第１の２値判別タイミングの１ユニットインターバル前の第２の２値判別タイミングから１ユニットインターバル前までの中間点又はその近傍点にある第３の３値判別タイミングにおける上記シングルエンド信号の振幅レベルを３値判別し、
上記第１、第２及び第３の３値判別タイミングにおける上記シングルエンド信号の振幅レベルの３値判別結果に基づいて、上記第１の２値判別タイミングにおける上記シングルエンド信号の振幅レベルを２値判別する、受信装置。
【請求項２】
差動変換された差動信号を受信して、当該受信された差動信号をシングルエンド信号にシングルエンド変換する差動増幅部と、
１ユニットインターバル間隔の複数の２値判別タイミングに含まれる第１の２値判別タイミングから１ユニットインターバル前までの中間点又はその近傍点にある第１の３値判別タイミングにおける上記シングルエンド信号の振幅レベルを３値判別し、上記第１の２値判別タイミングから１ユニットインターバル後までの中間点又はその近傍点にある第２の３値判別タイミングにおける上記シングルエンド信号の振幅レベルを３値判別し、上記第１及び第２の３値判別タイミングにおける上記シングルエンド信号の振幅レベルの３値判別結果に基づいて、上記第１の２値判別タイミングにおける上記シングルエンド信号の振幅レベルを２値判別し、当該２値判別に対応する２値信号を出力するロジック回路とを備え、
論理値０に対応する電圧レベルと論理値１に対応する電圧レベルとの間の電圧レベルを基準レベルとし、上記基準レベルと上記論理値１に対応する電圧レベルとの間の電圧レベルを第１のしきい値レベルとし、上記基準レベルと上記論理値０に対応する電圧レベルとの間の電圧レベルを第２のしきい値レベルとし、上記論理値１に対応する電圧レベルと上記第１のしきい値レベルとの間をＨ１レベルとし、上記第１のしきい値レベルと上記第２のしきい値レベルとの間をＭレベルとし、上記第２のしきい値レベルと上記論理値０に対応する電圧レベルとの間をＬ１レベルとすると、
上記ロジック回路は、上記第１の３値判別タイミングにおける上記シングルエンド信号の振幅レベルの３値判別結果がＬ１レベルであり、上記第２の３値判別タイミングにおける上記シングルエンド信号の振幅レベルの３値判別結果がＬ１レベルである場合、上記第１の２値判別タイミングにおける上記シングルエンド信号の振幅レベルを論理値０と２値判別し、
上記第１の３値判別タイミングにおける上記シングルエンド信号の振幅レベルの３値判別結果がＬ１レベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値０と２値判別し、
上記第１の３値判別タイミングにおける上記シングルエンド信号の振幅レベルの３値判別結果がＭレベルであり、上記第２の３値判別タイミングにおける上記シングルエンド信号の振幅レベルの３値判別結果がＬ１レベルである場合、上記第１の２値判別タイミングにおける上記シングルエンド信号の振幅レベルを論理値０と２値判別し、
上記第１の３値判別タイミングにおける上記シングルエンド信号の振幅レベルの３値判別結果がＭレベルであり、上記第２の３値判別タイミングにおける上記シングルエンド信号の振幅レベルの３値判別結果がＨ１レベルである場合、上記第１の２値判別タイミングにおける上記シングルエンド信号の振幅レベルを論理値１と２値判別し、
上記第１の３値判別タイミングにおける上記シングルエンド信号の振幅レベルの３値判別結果がＨ１レベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値１と２値判別し、
上記第１の３値判別タイミングにおける上記シングルエンド信号の振幅レベルの３値判別結果がＨ１レベルであり、上記第２の３値判別タイミングにおける上記シングルエンド信号の振幅レベルの３値判別結果がＨ１レベルである場合、上記第１の２値判別タイミングにおける上記シングルエンド信号の振幅レベルを論理値１と２値判別する、請求項１記載の受信装置。
上記ロジック回路は、上記第１の２値判別タイミングの１ユニットインターバル前の第２の２値判別タイミングから１ユニットインターバル前までの中間点又はその近傍点にある第３の３値判別タイミングにおける上記シングルエンド信号の振幅レベルを３値判別し、
上記第３の３値判別タイミングにおける上記シングルエンド信号の振幅レベルの３値判別結果がＬ１レベルであり、第１の３値判別タイミングにおける上記シングルエンド信号の振幅レベルの３値判別結果がＭレベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値１と２値判別し、
上記第３の３値判別タイミングにおける上記シングルエンド信号の振幅レベルの３値判別結果がＨ１レベルであり、第１の３値判別タイミングにおける上記シングルエンド信号の振幅レベルの３値判別結果がＭレベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値０と２値判別する、受信装置。
【請求項３】
上記シングルエンド信号を受信して、当該受信されたシングルエンド信号の振幅レベルを、上記第１のしきい値レベルと比較し、当該比較結果を第１の比較結果信号として出力する第１の比較器と、
上記シングルエンド信号を受信して、当該受信されたシングルエンド信号の振幅レベルを、上記第２のしきい値レベルと比較し、当該比較結果を第２の比較結果信号として出力する第２の比較器とをさらに備え、
上記ロジック回路は、上記第１の比較結果信号及び上記第２の比較結果信号に基づいて、上記シングルエンド信号の振幅レベルの３値判別を行う請求項２に記載の受信装置。
【請求項４】
上記論理値１に対応する電圧レベルと上記第１のしきい値レベルとの間をＨ２レベルとし、上記第１のしきい値レベルと上記論理値０に対応する電圧レベルとの間をＬ２レベルとし、上記論理値１に対応する電圧レベルと上記第２のしきい値レベルとの間をＨ３レベルとし、上記第２のしきい値レベルと上記論理値０に対応する電圧レベルとの間をＬ３レベルとすると、
上記ロジック回路は、上記第１の比較結果信号がＨ２レベルを示し、上記第２の比較結果信号がＨ３レベルを示す場合、上記シングルエンド信号の振幅レベルをＨ１レベルと３値判別し、
上記第１の比較結果信号がＬ２レベルを示し、上記第２の比較結果信号がＨ３レベルを示す場合、上記シングルエンド信号の振幅レベルをＭレベルと３値判別し、
上記第１の比較結果信号がＬ２レベルを示し、上記第２の比較結果信号がＬ３レベルを示す場合、上記シングルエンド信号の振幅レベルをＬ１レベルと３値判別する、請求項３に記載の受信装置。
【請求項５】
上記第１の比較結果信号と上記第２の比較結果信号とをそれぞれラッチして保持するシフトレジスタ回路をさらに備え、
上記ロジック回路は、上記ラッチされた第１及び第２の比較結果信号に基づいて、上記シングルエンド信号の振幅レベルの３値判別を行う請求項３又は４に記載の受信装置。
【請求項６】
上記シフトレジスタ回路は、
上記第１の３値判別タイミングにおける上記シングルエンド信号の振幅レベルに対応する上記第１の比較結果信号をラッチして保持する第１のレジスタ部と、
上記第１の３値判別タイミングにおける上記シングルエンド信号の振幅レベルに対応する上記第２の比較結果信号をラッチして保持する第２のレジスタ部と、
上記第２の３値判別タイミングにおける上記シングルエンド信号の振幅レベルに対応する上記第１の比較結果信号をラッチして保持する第３のレジスタ部と、
上記第２の３値判別タイミングにおける上記シングルエンド信号の振幅レベルに対応する上記第２の比較結果信号をラッチして保持する第４のレジスタ部と、
上記第３の３値判別タイミングにおける上記シングルエンド信号の振幅レベルに対応する上記第１の比較結果信号をラッチして保持する第５のレジスタ部と、
上記第３の３値判別タイミングにおける上記シングルエンド信号の振幅レベルに対応する上記第２の比較結果信号をラッチして保持する第６のレジスタ部とを備え、
上記ロジック回路は、上記ラッチされた第１及び第２の比較結果信号に基づいて、上記シングルエンド信号の振幅レベルの３値判別を行う、請求項５に記載の受信装置。
【請求項７】
上記シングルエンド信号を受信して、当該受信されたシングルエンド信号の振幅レベルを基準レベルと比較し、当該比較された結果を第３の比較結果信号として出力する第３の比較器をさらに備え、
上記ロジック回路は、上記第３の比較結果信号に基づいて、上記第１の２値判別タイミングにおける上記シングルエンド信号を２値判別する請求項１〜６のうちのいずれか１つに記載の受信装置。
【請求項８】
上記受信装置が論理値１に対応する電圧レベルと論理値０に対応する電圧レベルとを１ユニットインターバルごとに繰り返す信号を含むトレーニング信号を差動変換することにより取得された上記差動信号を受信したときに、
上記ロジック回路は、上記トレーニング信号をシングルエンド変換した上記シングルエンド信号について、上記３値判別結果に基づく２値判別及び上記第３の比較結果信号に基づく２値判別を行い、これらの２値判別のビット誤り率に基づいて、ビット誤り率が低いほうの２値判別に対応する２値信号を出力する設定に切り替える請求項７記載の受信装置。
【請求項９】
上記トレーニング信号は、１ユニットインターバルよりも長い時間の論理値０に対応する電圧レベルもしくは論理値１に対応する電圧レベルの信号を含む請求項８記載の受信装置。
【請求項１０】
上記シングルエンド信号を受信して、当該受信されたシングルエンド信号の振幅レベルを基準レベルと比較し、当該比較された結果を第３の比較結果信号として出力する第３の比較器をさらに備え、
上記ロジック回路は、少なくとも上記第１の２値判別タイミングにおける上記シングルエンド信号の振幅レベルの３値判別結果に基づいて、上記第３の比較結果信号に基づく２値信号、又は上記第１及び第２の３値判別タイミングにおける上記シングルエンド信号の振幅レベルの３値判別結果に基づく２値信号のうち何れかの２値信号を出力する請求項１〜６のうちのいずれか１つに記載の受信装置。
【請求項１１】
上記差動増幅部の前段に遅延回路部をさらに備え、
上記遅延回路部は、上記差動信号が上記差動増幅部に入力されるタイミングを調整し、
上記ロジック回路は、上記差動信号の差動間スキューを調整するように上記遅延回路部を制御する請求項１〜９のうちのいずれか１つに記載の受信装置。
【請求項１２】
上記ロジック回路は、上記第１〜第３の３値判別タイミングにおける上記シングルエンド信号の振幅レベルの３値判別結果が全てＭレベルである場合、上記第１の２値判別タイミングにおける上記シングルエンド信号の振幅レベルが上記第２の２値判別タイミングと同じ論理値であると２値判別する、請求項２記載の受信装置。
【発明の詳細な説明】
【技術分野】
【０００１】
本開示は、差動変換された差動信号を２値判別する受信装置に関する。
【背景技術】
【０００２】
従来のデジタル方式の２値信号受信装置は、受信した信号を、クロック信号に同期して論理値０に対応する電圧レベルＶ０もしくは論理値１に対応する電圧レベルＶ１のいずれかに判別していた。しかしながら、近年のデジタルデータの高速化にともなって、信号間のデータのスキューにより判別タイミングがずれたり、差動信号の差動間スキュー（プラス信号とマイナス信号との送信部から受信部への到達時間差）により信号の品質が劣化したりする課題が顕在化してきた。これに対して、例えば特許文献１には、データ信号とクロック信号との間のスキューを調整する回路を備えた低電圧差動受信器が開示されている。また、特許文献２には、１ユニットインターバルに対するサンプリング数を一定に保持するオーバーサンプリング技術で信号品質に対するエラーレートを低減させる受信回路が開示されている。
【先行技術文献】
【特許文献】
【０００３】
【特許文献１】特許第４０６４６３０号明細書
【特許文献２】特開２０１１−１９３０３９号公報
【発明の概要】
【発明が解決しようとする課題】
【０００４】
本開示は、スキューの大きい差動信号を２値判別できる受信装置を提供する。
【課題を解決するための手段】
【０００５】
本開示における受信装置は、差動変換された差動信号を受信して、当該受信された差動信号をシングルエンド信号にシングルエンド変換する差動増幅部と、１ユニットインターバル間隔の複数の２値判別タイミングに含まれる第１の２値判別タイミングから１ユニットインターバル前までの間にある第１の３値判別タイミングにおける上記シングルエンド信号の振幅レベルを３値判別し、上記第１の２値判別タイミングから１ユニットインターバル後までの間にある第２の３値判別タイミングにおける上記シングルエンド信号の振幅レベルを３値判別し、上記第１及び第２の３値判別タイミングにおける上記シングルエンド信号の振幅レベルの３値判別結果に基づいて、上記第１の２値判別タイミングにおける上記シングルエンド信号の振幅レベルを２値判別し、当該２値判別に対応する２値信号を出力するロジック回路とを備えている。
【発明の効果】
【０００６】
本開示における受信装置は、スキューの大きい差動信号を２値判別することに有効である。
【図面の簡単な説明】
【０００７】
【図１】本開示の実施の形態１に係る受信装置１の構成要素を示すブロック図である。
【図２】シングルエンド信号の時間に対する振幅レベルの変化を示す時間軸波形図である。
【図３】図１のロジック回路７に入力される第１の比較結果信号及び第２の比較結果信号と、当該第１の比較結果信号及び第２の比較結果信号に基づいて変換された３値信号との関係を示す図表である。
【図４】３値判別タイミングＸおよびＹにおける３値信号と、これらの３値信号に基づいて判別された２値信号との関係を示す図表である。
【図５】３値判別タイミングＸ、ＹおよびＷにおける３値信号と、これらの３値信号に基づいて判別された２値信号との関係を示す図表である。
【図６】３値判別タイミングＸ、ＹおよびＷにおける３値信号と、これらの３値信号に基づいて判別された２値信号との関係を示す図表である。
【図７】本開示の実施の形態２に係る受信装置１Ａの構成要素を示すブロック図である。
【図８】図７のロジック回路７Ａから出力される２値信号を切り替えるために使用するトレーニング信号ＴＳの時間ｔに対する振幅レベルの変化を示す時間軸波形図である。
【図９】本開示の実施の形態３に係る受信装置１Ｂ構成要素を示すブロック図である。
【図１０】図９の受信装置１Ｂが受信するデータ信号の時間に対する振幅レベルの変化を示す時間軸波形図である。
【図１１】本開示の実施の形態４に係る受信装置１Ｃの構成要素を示すブロック図である。
【図１２】２つの信号線の長さが異なることにより発生するスキューの影響を示すアイダイアグラムである。
【発明を実施するための形態】
【０００８】
本開示の実施形態に係る受信装置は、差動増幅部とロジック回路とを備えている。上記差動増幅部は、差動変換された差動信号を受信して、当該受信された差動信号をシングルエンド信号にシングルエンド変換する。上記ロジック回路は、１ユニットインターバル間隔の複数の２値判別タイミングに含まれる第１の２値判別タイミングから１ユニットインターバル前までの間にある第１の３値判別タイミングにおける上記シングルエンド信号の振幅レベルを３値判別し、上記第１の２値判別タイミングから１ユニットインターバル後までの間にある第２の３値判別タイミングにおける上記シングルエンド信号の振幅レベルを３値判別し、上記第１及び第２の３値判別タイミングにおける上記シングルエンド信号の振幅レベルの３値判別結果に基づいて、上記第１の２値判別タイミングにおける上記シングルエンド信号の振幅レベルを２値判別し、当該２値判別に対応する２値信号を出力する。
【０００９】
上記ロジック回路は、上記第１の３値判別タイミングにおける上記シングルエンド信号の振幅レベルの３値判別結果がＬ１レベルであり、上記第２の３値判別タイミングにおける上記シングルエンド信号の振幅レベルの３値判別結果がＬ１レベルである場合、上記第１の２値判別タイミングにおける上記シングルエンド信号の振幅レベルを論理値０と２値判別してもよく、上記第１の３値判別タイミングにおける上記シングルエンド信号の振幅レベルの３値判別結果がＬ１レベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値０と２値判別してもよく、上記第１の３値判別タイミングにおける上記シングルエンド信号の振幅レベルの３値判別結果がＭレベルであり、上記第２の３値判別タイミングにおける上記シングルエンド信号の振幅レベルの３値判別結果がＬ１レベルである場合、上記第１の２値判別タイミングにおける上記シングルエンド信号の振幅レベルを論理値０と２値判別してもよく、上記第１の３値判別タイミングにおける上記シングルエンド信号の振幅レベルの３値判別結果がＭレベルであり、上記第２の３値判別タイミングにおける上記シングルエンド信号の振幅レベルの３値判別結果がＨ１レベルである場合、上記第１の２値判別タイミングにおける上記シングルエンド信号の振幅レベルを論理値１と２値判別してもよく、上記第１の３値判別タイミングにおける上記シングルエンド信号の振幅レベルの３値判別結果がＨ１レベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値１と２値判別してもよく、上記第１の３値判別タイミングにおける上記シングルエンド信号の振幅レベルの３値判別結果がＨ１レベルであり、上記第２の３値判別タイミングにおける上記シングルエンド信号の振幅レベルの３値判別結果がＨ１レベルである場合、上記第１の２値判別タイミングにおける上記シングルエンド信号の振幅レベルを論理値１と２値判別してもよい。なお、論理値０に対応する電圧レベルと論理値１に対応する電圧レベルとの間の電圧レベルを基準レベルとし、上記基準レベルと上記論理値１に対応する電圧レベルとの間の電圧レベルを第１のしきい値レベルとし、上記基準レベルと上記論理値０に対応する電圧レベルとの間の電圧レベルを第２のしきい値レベルとし、上記論理値１に対応する電圧レベルと上記第１のしきい値レベルとの間をＨ１レベルとし、上記第１のしきい値レベルと上記第２のしきい値レベルとの間をＭレベルとし、上記第２のしきい値レベルと上記論理値０に対応する電圧レベルとの間をＬ１レベルとする。
【００１０】
上記ロジック回路は、上記第１の２値判別タイミングの１ユニットインターバル前の第２の２値判別タイミングから１ユニットインターバル前までの間にある第３の３値判別タイミングにおける上記シングルエンド信号の振幅レベルを３値判別してもよく、上記第１、第２及び第３の３値判別タイミングにおける上記シングルエンド信号の振幅レベルの３値判別結果に基づいて、上記第１の２値判別タイミングにおける上記シングルエンド信号の振幅レベルを２値判別してもよい。
【００１１】
上記ロジック回路は、上記第１の２値判別タイミングの１ユニットインターバル前の第２の２値判別タイミングから１ユニットインターバル前までの間にある第３の３値判別タイミングにおける上記シングルエンド信号の振幅レベルを３値判別してもよい。上記ロジック回路は、上記第３の３値判別タイミングにおける上記シングルエンド信号の振幅レベルの３値判別結果がＬ１レベルであり、第１の３値判別タイミングにおける上記シングルエンド信号の振幅レベルの３値判別結果がＭレベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値１と２値判別してもよく、上記第３の３値判別タイミングにおける上記シングルエンド信号の振幅レベルの３値判別結果がＨ１レベルであり、第１の３値判別タイミングにおける上記シングルエンド信号の振幅レベルの３値判別結果がＭレベルであり、上記第２の３値判別タイミングにおける上記シングルエンド信号の振幅レベルの３値判別結果がＭレベルである場合、上記第１の２値判別タイミングにおける上記シングルエンド信号の振幅レベルを論理値０と２値判別してもよい。
【００１２】
上記受信装置は、さらに、上記シングルエンド信号を受信して、当該受信されたシングルエンド信号の振幅レベルを、上記第１のしきい値レベルと比較し、当該比較結果を第１の比較結果信号として出力する第１の比較器と、上記シングルエンド信号を受信して、当該受信されたシングルエンド信号の振幅レベルを、上記第２のしきい値レベルと比較し、当該比較結果を第２の比較結果信号として出力する第２の比較器とをさらに備えていてもよい。上記ロジック回路は、上記第１の比較結果信号及び上記第２の比較結果信号に基づいて、上記シングルエンド信号の振幅レベルの３値判別を行ってもよい。
【００１３】
上記ロジック回路は、上記第１の比較結果信号がＨ２レベルを示し、上記第２の比較結果信号がＨ３レベルを示す場合、上記シングルエンド信号の振幅レベルをＨ１レベルと３値判別してもよく、上記第１の比較結果信号がＬ２レベルを示し、上記第２の比較結果信号がＨ３レベルを示す場合、上記シングルエンド信号の振幅レベルをＭレベルと３値判別してもよく、上記第１の比較結果信号がＬ２レベルを示し、上記第２の比較結果信号がＬ３レベルを示す場合、上記シングルエンド信号の振幅レベルをＬ１レベルと３値判別してもよい。なお、上記論理値１に対応する電圧レベルと上記第１のしきい値レベルとの間をＨ２レベルとし、上記第１のしきい値レベルと上記論理値０に対応する電圧レベルとの間をＬ２レベルとし、上記論理値１に対応する電圧レベルと上記第２のしきい値レベルとの間をＨ３レベルとし、上記第２のしきい値レベルと上記論理値０に対応する電圧レベルとの間をＬ３レベルとする。
【００１４】
上記受信装置は、上記第１の比較結果信号と上記第２の比較結果信号とをそれぞれラッチして保持するシフトレジスタ回路をさらに備えていてもよい。上記ロジック回路は、上記ラッチされた第１及び第２の比較結果信号に基づいて、上記シングルエンド信号の振幅レベルの３値判別を行ってもよい。
【００１５】
上記シフトレジスタ回路は、上記第１の３値判別タイミングにおける上記シングルエンド信号の振幅レベルに対応する上記第１の比較結果信号をラッチして保持する第１のレジスタ部と、上記第１の３値判別タイミングにおける上記シングルエンド信号の振幅レベルに対応する上記第２の比較結果信号をラッチして保持する第２のレジスタ部と、上記第２の３値判別タイミングにおける上記シングルエンド信号の振幅レベルに対応する上記第１の比較結果信号をラッチして保持する第３のレジスタ部と、上記第２の３値判別タイミングにおける上記シングルエンド信号の振幅レベルに対応する上記第２の比較結果信号をラッチして保持する第４のレジスタ部と、上記第３の３値判別タイミングにおける上記シングルエンド信号の振幅レベルに対応する上記第１の比較結果信号をラッチして保持する第５のレジスタ部と、上記第３の３値判別タイミングにおける上記シングルエンド信号の振幅レベルに対応する上記第２の比較結果信号をラッチして保持する第６のレジスタ部とを備えていてもよい。上記ロジック回路は、上記ラッチされた第１及び第２の比較結果信号に基づいて、上記シングルエンド信号の振幅レベルの３値判別を行ってもよい。
【００１６】
上記受信装置は、上記シングルエンド信号を受信して、当該受信されたシングルエンド信号の振幅レベルを基準レベルと比較し、当該比較された結果を第３の比較結果信号として出力する第３の比較器をさらに備えていてもよい。上記ロジック回路は、上記第３の比較結果信号に基づいて、上記第１の２値判別タイミングにおける上記シングルエンド信号を２値判別してもよい。
【００１７】
上記受信装置が論理値１に対応する電圧レベルと論理値０に対応する電圧レベルとを１ユニットインターバルごとに繰り返す信号を含むトレーニング信号を差動変換することにより取得された上記差動信号を受信したときに、上記ロジック回路は、上記トレーニング信号をシングルエンド変換した上記シングルエンド信号について、上記３値判別結果に基づく２値判別及び上記第３の比較結果信号に基づく２値判別を行ってもよく、これらの２値判別のビット誤り率に基づいて、ビット誤り率が低いほうの２値判別に対応する２値信号を出力する設定に切り替えてもよい。
【００１８】
上記トレーニング信号は、１ユニットインターバルよりも長い時間の論理値０に対応する電圧レベルもしくは論理値１に対応する電圧レベルの信号を含むものであってもよい。
【００１９】
上記受信装置は、上記シングルエンド信号を受信して、当該受信されたシングルエンド信号の振幅レベルを基準レベルと比較し、当該比較された結果を第３の比較結果信号として出力する第３の比較器をさらに備えていてもよい。上記ロジック回路は、少なくとも上記第１の２値判別タイミングにおける上記シングルエンド信号の振幅レベルの３値判別結果に基づいて、上記第３の比較結果信号に基づく２値信号、又は上記第１及び第２の３値判別タイミングにおける上記シングルエンド信号の振幅レベルの３値判別結果に基づく２値信号のうち何れかの２値信号を出力してもよい。
【００２０】
上記受信装置は、上記差動増幅部の前段に遅延回路部をさらに備えていてもよい。上記遅延回路部は、上記差動信号が上記差動増幅部に入力されるタイミングを調整してもよく、上記ロジック回路は、上記差動信号の差動間スキューを調整するように上記遅延回路部を制御してもよい。
【００２１】
上記ロジック回路は、上記第１〜第３の３値判別タイミングにおける上記シングルエンド信号の振幅レベルの３値判別結果が全てＭレベルである場合、上記第１の２値判別タイミングにおける上記シングルエンド信号の振幅レベルが上記第２の２値判別タイミングと同じ論理値であると２値判別してもよい。
【００２２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２３】
なお、発明者は、当業者が本開示を十分に理解するために添付図面及び以下の説明を提供するのであって、これらによって特許請求の範囲に記載の主題を限定することを意図するものではない。
【００２４】
（本開示が想定する具体的な課題）
例えばＵＳＢ（Ｕｎｉｖｅｒｓａｌ  Ｓｅｒｉａｌ  Ｂｕｓ）やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）などの高速デジタルインターフェースの多くは、差動伝送という方式を使用している。すなわち、信号を単線で伝送するのではなく、位相が１８０度異なる信号を２線で伝送する方式である。しかしながら、この伝送方式では、２つの信号の位相がずれて「スキュー」と呼ばれる不平衡成分が発生する。ここで、「スキュー」とは、差動信号のプラス信号（Ｄ＋）とマイナス信号（Ｄ−）との時間差のことである。従って、このスキューが大きい場合には、差動信号が劣化して２値判別におけるビット誤り率が増加する。
【００２５】
上述したスキューは様々な要因によって発生する。最も一般的な要因は、送信側と受信側とを接続する伝送路において、２つの信号線の有効長が異なることである。図１２は、２つの信号線の長さが異なることにより発生するスキューの影響を示すアイダイアグラムである。図１２（ａ）には差動信号のプラス信号（Ｄ＋）の時間に対する振幅レベルの変化を示す時間軸波形を示し、図１２（ｂ）には差動信号のマイナス信号（Ｄ−）の時間に対する振幅レベルの変化を示す時間軸波形を示し、図１２（ｃ）には差動信号（＝プラス信号（Ｄ＋）−マイナス信号（Ｄ−））の時間に対する振幅レベルの変化を示す時間軸波形を示し、図１２（ｄ）には差動信号のアイダイアグラムを示している。ここで、図１２にはスキューが無い場合（スキューが０ユニットインターバル（ＵＩ））と、スキューが有る場合（スキューが０．７５ユニットインターバル（ＵＩ））とを示している。図１２（ｄ）を参照すると、スキューが無い場合には目が大きく開いていることが分かる。すなわち、「アイ幅」及び「アイ高さ」が大きいので、差動伝送の質が高いと判断できる。これに対して、スキューが大きくなると目が閉じていくことが分かる。すなわち、「アイ幅」及び「アイ高さ」が小さくなるので、差動伝送の質が低く、誤りなしに判別できる範囲が縮小されたと判断できる。
【００２６】
特許文献１のスキュー調整技術では、データ信号とクロック信号との間のスキューだけを調整することができ、データの差動間のスキューは調整ができないという課題があった。また、特許文献２のオーバーサンプリング技術では、データの差動間のスキューが大きい場合には時間方向及び振幅方向ともに信号品質が劣化するので、エラーレートの低減に効果がない。さらに、特許文献２のオーバーサンプリング技術では、オーバーサンプリングを実行するための高速動作可能な高スペックな受信デバイスを実装しなければならないという課題があった。
【００２７】
上述したような課題に着目して、本実施の形態では、差動伝送の質が低い差動信号、すなわちスキューが大きい差動信号を受信した場合においても、通常の２値伝送の動作周波数よりも高速で動作するデバイスを追加することなしに、スキューの大きい差動信号を２値判別することができる受信装置１を提供する。以下、図１〜図６を用いて、実施の形態１を説明する。
【００２８】
（実施の形態１）
従来の受信装置は、論理値０に対応する電圧レベルＶ０と論理値１に対応する電圧レベルＶ１との間の電圧レベルを基準レベルＶｔｈとして２値判別タイミングＢ（図２参照）において差動信号の振幅レベルを２値判別し、当該２値判別に対応する２値信号を出力していた。これに対して、本実施の形態１に係る受信装置１は、２値判別タイミングＢの前後の３値判別タイミングタイミングＸ、Ｙ（図２参照）において差動信号の振幅レベルを３値判別し、当該３値判別に対応する３値信号を生成する。その後、当該３値信号に基づいて差動信号の振幅レベルを２値判別する。差動信号の振幅レベルを３値判別するときは、第１のしきい値レベルＶＨｔｈ及び第２のしきい値レベルＶＬｔｈが用いられる。なお、受信装置１は、差動信号をシングルエンド信号にシングルエンド変換し、このシングルエンド信号の振幅レベルを３値及び２値判別することにより、差動信号の振幅レベルを３値及び２値判別する。
【００２９】
［１．構成］
図１は、本開示の実施の形態１に係る受信装置１の構成要素を示すブロック図である。図１の受信装置１は、差動増幅部である比較器２と、第１の比較器３と、第２の比較器４と、シフトレジスタ回路６と、ロジック回路７とを備える。シフトレジスタ回路６は、第１〜第６のレジスタ部６１〜６６から構成され、３値信号変換のための比較結果信号を格納する。受信装置１は、差動変換された差動信号を受信し、当該受信された差動信号の振幅レベルを２値判別し、当該２値判別に対応する２値信号を出力する。詳細には、受信装置１は、差動信号をシングルエンド信号にシングルエンド変換した後、当該シングルエンド信号を１ユニットインターバルの間隔で２値判別する。１ユニットインターバルの間隔はクロック信号ＣＬＫにより設定される。この２値判別は、後述するように、３値判別に基づいて行われる。
【００３０】
比較器２は、差動信号を受信して、当該受信された差動信号をシングルエンド信号（以下、データ信号という場合もある）にシングルエンド変換する。次に、比較器２は、当該シングルエンド信号を第１の比較器３及び第２の比較器４に出力する。
【００３１】
第１の比較器３は、シングルエンド信号を受信する。第１の比較器３は、当該受信されたシングルエンド信号の振幅レベルを、基準レベルＶｔｈと論理値１に対応する電圧レベルＶ１との間にある第１のしきい値レベルＶＨｔｈと比較し、当該比較結果を第１の比較結果信号としてシフトレジスタ回路６に出力する。ここで、第１の比較器３は、シングルエンド信号の振幅レベルが第１のしきい値レベルＶＨｔｈ以上であるときにはハイ（Ｈｉｇｈ）レベルを示す第１の比較結果信号を出力し、シングルエンド信号の振幅レベルが第１のしきい値レベルＶＨｔｈ未満であるときにはロー（Ｌｏｗ）レベルを示す第１の比較結果信号を出力する。
【００３２】
第２の比較器４は、シングルエンド信号を受信する。第２の比較器４は、当該受信されたシングルエンド信号の振幅レベルを、基準レベルＶｔｈと論理値０に対応する電圧レベルＶ０との間にある第２のしきい値レベルＶＬｔｈと比較し、当該比較結果を第２の比較結果信号としてシフトレジスタ回路６に出力する。ここで、第２の比較器４は、シングルエンド信号の振幅レベルが第２のしきい値レベルＶＬｔｈ以上であるときにはハイ（Ｈｉｇｈ）レベルを示す第２の比較結果信号を出力し、シングルエンド信号の振幅レベルが第２のしきい値レベルＶＬｔｈ未満であるときにはロー（Ｌｏｗ）レベルを示す第２の比較結果信号を出力する。
【００３３】
遅延回路５は、クロック信号ＣＬＫを遅延させて、３値判別タイミングＷ、Ｘ、Ｙを与える３値判別タイミングクロックを生成し、当該生成された３値判別タイミングクロックを各第１〜第６のレジスタ部６１〜６６に入力する。クロック信号ＣＬＫは２値判別タイミングＡ、Ｂを生成する。
【００３４】
シフトレジスタ回路６は、３値判別タイミングクロックを用いて、第１の比較器３から出力される第１の比較結果信号及び第２の比較器４から出力される第２の比較結果信号をラッチして保持するとともにビットシフトを行う。ここで、レジスタ部６１は、３値判別タイミングＷにおける第１の比較結果信号をラッチして保持する。レジスタ部６２は、３値判別タイミングＸにおける第１の比較結果信号をラッチして保持する。レジスタ部６３は、３値判別タイミングＹにおける第１の比較結果信号をラッチして保持する。レジスタ部６４は、３値判別タイミングＷにおける第２の比較結果信号をラッチして保持する。レジスタ部６５は、３値判別タイミングＸにおける第２の比較結果信号をラッチして保持する。レジスタ部６６は、第３の３値判別タイミングＹにおける第２の比較結果信号をラッチして保持する。
【００３５】
ロジック回路７は、シフトレジスタ回路６において３値判別タイミングＸ、Ｙ、Ｗでの各レジスタ部６１〜６６の出力に基づいて、３値判別タイミングＸ、Ｙ、Ｗにおけるシングルエンド信号を３つの振幅レベル（ハイ（Ｈ）レベル、ミドル（Ｍ）レベル、ロー（Ｌ）レベル）を示す３値信号にそれぞれ変換する。この変換は、後述する図３の表に従って行われる。
【００３６】
次に、ロジック回路７は、各２値判別タイミングにおけるシングルエンド信号を以下のように２値判別し、当該２値判別に対応する２値信号を出力する。すなわち、ロジック回路７は、２値判別タイミングＢから１ユニットインターバル前までの間にある３値判別タイミングＸにおけるシングルエンド信号を変換した第１の３値信号と、２値判別タイミングＢから１ユニットインターバル後までの間にある３値判別タイミングＹにおけるシングルエンド信号を変換した第２の３値信号とに基づいて、２値判別を行う。この２値判別は、後述する図４の表に従って行われる。すなわち、ロジック回路７は、各３値判別タイミングにおけるシングルエンド信号を３つの振幅レベルを示す３値信号に変換し、２値判別タイミングＢから１ユニットインターバル前までの間にある３値判別タイミングＸにおいて変換された第１の３値信号と、２値判別タイミングＢから１ユニットインターバル後までの間にある３値判別タイミングＹにおいて変換された第２の３値信号とに基づいて、各２値判別タイミングにおけるシングルエンド信号を２値判別する。なお、３値判別タイミングＸにおいて変換された第１の３値信号及び３値判別タイミングＹにおいて変換された第２の３値信号がともにミドル（Ｍ）レベルである場合には、後述する図５の表に従って、２値判別することができる。
【００３７】
ロジック回路７は、図４の表に従ってシングルエンド信号を２値判別できないときは、図５の表に従って、２値判別タイミングＢの１ユニットインターバル前の２値判別タイミングＡから１ユニットインターバル前までの間にある３値判別タイミングＷにおいて変換された第３の３値信号に基づいて、シングルエンド信号を論理値０もしくは論理値１に２値判別し、この２値判別に対応する２値信号を出力する。なお、２値判別タイミングＢの２値判別を行う１ユニットインターバル前の時点において、図４の表を２値判別タイミングＡに適用して、２値判別タイミングＡの２値判別が行われている。よって、３値判別タイミングＷ、Ｘの３値判別結果がレベルＬ、Ｍの場合は、図４の表を２値判別タイミングＡに適用して、２値判別タイミングＡの２値判別結果は論理値０となっている。また、３値判別タイミングＷ、Ｘの３値判別結果がレベルＨ、Ｍの場合は、図４の表を２値判別タイミングＡに適用して、２値判別タイミングＡの２値判別結果は論理値１となっている。
【００３８】
［２．動作］
以上のように構成された実施の形態１に係る受信装置１の動作について以下に説明する。
【００３９】
図２は、シングルエンド信号の時間に対する振幅レベルの変化を示す時間軸波形図である。受信装置１は、２値判別タイミングＢにおけるシングルエンド信号の振幅レベルが論理値１に対応する電圧レベルＶ１と基準レベルＶｔｈとの間にあると判別する場合には論理値１を示す２値信号を出力する。受信装置１は、２値判別タイミングＢにおけるシングルエンド信号の振幅レベルが論理値０に対応する電圧レベルＶ０と基準レベルＶｔｈとの間にあると判別する場合には論理値０を示す２値信号を出力する。本実施の形態に係る受信装置１は、２値判別タイミングの前後においてシングルエンド信号の振幅レベルを３つの振幅レベルに判別し、その結果に基づいて、２値判別タイミングにおけるデータ信号の振幅レベルを判別する。以下詳細に説明する。
【００４０】
図２において、受信装置１は、基準レベルＶｔｈとは異なる第１のしきい値レベルＶＨｔｈ及び第２のしきい値レベルＶＬｔｈを用いて、シングルエンド信号を３つの振幅レベルを示す３値信号に変換する。ここで、論理値１に対応する電圧レベルＶ１と第１のしきい値レベルＶＨｔｈとの間をハイ（Ｈ）レベルとし、第１のしきい値レベルＶＨｔｈと第２のしきい値レベルＶＬｔｈとの間をミドル（Ｍ）レベルとし、第２のしきい値レベルＶＬｔｈと論理値０に対応する電圧レベルＶ０との間をロー（Ｌ）レベルとする。次に、受信装置１は、変換された３値信号に基づいて、各２値判別タイミングにおけるシングルエンド信号の振幅レベルが論理値１に対応する電圧レベルＶ１と基準レベルＶｔｈとの間にあるのか、もしくは論理値０に対応する電圧レベルＶ０と基準レベルＶｔｈとの間にあるのかを判別する。すなわち、受信装置１は、２値判別タイミングＢから１ユニットインターバル前までの間にある３値判別タイミングＸにおいて変換された第１の３値信号と、２値判別タイミングＢから１ユニットインターバル後までの間にある３値判別タイミングＹにおいて変換された第２の３値信号とに基づいて、２値判別タイミングＢにおけるシングルエンド信号を判別する。
【００４１】
図３は、図１のロジック回路７に入力される第１の比較結果信号及び第２の比較結果信号と、当該第１の比較結果信号及び第２の比較結果信号に基づいて変換された３値信号との関係を示す。第１の比較器３からハイレベルを示す第１の比較結果信号が出力されてかつ第２の比較器４からハイレベルを示す第２の比較結果信号が出力される場合には、シングルエンド信号はハイ（Ｈ）レベルを示す３値信号に変換される。また、第１の比較器３からローレベルを示す第１の比較結果信号が出力されてかつ第２の比較器４からハイレベルを示す第２の比較結果信号が出力される場合には、シングルエンド信号はミドル（Ｍ）レベルを示す３値信号に変換される。さらに、第１の比較器３からローレベルを示す第１の比較結果信号が出力されてかつ第２の比較器４からローレベルを示す第２の比較結果信号が出力される場合には、シングルエンド信号はロー（Ｌ）レベルを示す３値信号に変換される。
【００４２】
図４は、３値判別タイミングＸおよびＹにおける３値信号と、これらの３値信号に基づいて判別された２値信号との関係を示す。３値判別タイミングＸにおけるシングルエンド信号の振幅レベルがロー（Ｌ）レベルでありかつ３値判別タイミングＹにおけるシングルエンド信号の振幅レベルがロー（Ｌ）レベルである場合には、シングルエンド信号の振幅レベルが３値判別タイミングＸと３値判別タイミングＹの間で変化していないと判別できる。よって、２値判別タイミングＢでのシングルエンド信号の２値論理レベルは論理値０であると判別できる。
【００４３】
３値判別タイミングＸにおけるシングルエンド信号の振幅レベルがロー（Ｌ）レベルでありかつ３値判別タイミングＹにおけるシングルエンド信号の振幅レベルがミドル（Ｍ）レベルの場合には、２値判別タイミングＢでは論理値０に対応する電圧レベルＶ０から論理値１に対応する電圧レベルＶ１へとシングルエンド信号が変化している途中であり、２値判別タイミングＢでのシングルエンド信号の２値論理レベルは論理値０に対応する電圧レベルＶ０と判別できる。
【００４４】
３値判別タイミングＸにおけるシングルエンド信号の振幅レベルがミドル（Ｍ）レベルでありかつ３値判別タイミングＹにおけるシングルエンド信号の振幅レベルがロー（Ｌ）レベルである場合には、２値判別タイミングＢでは論理値１に対応する電圧レベルＶ１から論理値０に対応する電圧レベルＶ０へとシングルエンド信号が変化している途中であり、２値判別タイミングＢでのシングルエンド信号の２値論理レベルは論理値０に対応する電圧レベルＶ０と判別できる。
【００４５】
３値判別タイミングＸにおけるシングルエンド信号の振幅レベルがミドル（Ｍ）レベルでありかつ３値判別タイミングＹにおけるシングルエンド信号の振幅レベルがハイ（Ｈ）レベルである場合には、２値判別タイミングＢでは論理値０に対応する電圧レベルＶ０から論理値１に対応する電圧レベルＶ１へとシングルエンド信号が変化している途中であり、２値判別タイミングＢでのシングルエンド信号の２値論理レベルは論理値１に対応する電圧レベルＶ１と判別できる。
【００４６】
３値判別タイミングＸにおけるシングルエンド信号の振幅レベルがハイ（Ｈ）レベルでありかつ３値判別タイミングＹにおけるシングルエンド信号の振幅レベルがミドル（Ｍ）レベルである場合には、２値判別タイミングＢでは論理値１に対応する電圧レベルＶ１から論理値０に対応する電圧レベルＶ０へとシングルエンド信号が変化している途中であり、２値判別タイミングＢでのシングルエンド信号の２値論理レベルは論理値１に対応する電圧レベルＶ１と判別できる。
【００４７】
３値判別タイミングＸにおけるシングルエンド信号の振幅レベルがハイ（Ｈ）レベルでありかつ３値判別タイミングＹにおけるシングルエンド信号の振幅レベルがハイ（Ｈ）レベルである場合には、シングルエンド信号の振幅レベルが３値判別タイミングＸと３値判別タイミングＹの間で変化していないと判別できる。よって、２値判別タイミングＢでのシングルエンド信号の２値論理レベルは論理値１であると判別できる。
【００４８】
本実施の形態では、差動信号の差動間スキューが大きいことを前提としているので、振幅レベルは急速に立ち上がらない。従って、３値判別タイミングＸでのシングルエンド信号の振幅レベルがロー（Ｌ）レベルでありかつ３値判別タイミングＹでのシングルエンド信号の振幅レベルがハイ（Ｈ）レベルとなることはない。また、３値判別タイミングＸでのシングルエンド信号の振幅レベルがハイ（Ｈ）レベルでありかつ３値判別タイミングＹでのシングルエンド信号の振幅レベルがロー（Ｌ）レベルとなることもない。
【００４９】
３値判別タイミングＸで振幅レベルがミドル（Ｍ）レベルでありかつ３値判別タイミングＹでの振幅レベルがミドル（Ｍ）レベルの場合には、図５を参照して、さらにひとつ前の３値判別タイミングＷの結果を用いることによりシングルエンド信号の２値判別をすることが可能となる。すなわち、図５に示すように、３値判別タイミングＷ、３値判別タイミングＸ、３値判別タイミングＹの順にシングルエンド信号の振幅レベルがロー（Ｌ）レベル、ミドル（Ｍ）レベル、ミドル（Ｍ）レベルの場合には、２値判別タイミングＡではシングルエンド信号の振幅レベルが論理値０であると判別でき、２値判別タイミングＢではシングルエンド信号の振幅レベルが論理値１であると判別できる。また、３値判別タイミングＷ、３値判別タイミングＸ、３値判別タイミングＹの順にシングルエンド信号の振幅レベルがハイ（Ｈ）レベル、ミドル（Ｍ）レベル、ミドル（Ｍ）レベルの場合には、２値判別タイミングＡではシングルエンド信号の振幅レベルが論理値１であると判別でき、２値判別タイミングＢではシングルエンド信号の振幅レベルが論理値０であると判別できる。図４に示した表と図５に示した表とを別々の表としてロジック回路７に実装してもよいし、図４に示した表及び図５に示した表を一体とした図６に示すような表をロジック回路７に実装してもよい。
【００５０】
なお、３値判別タイミングＷ、Ｘ、Ｙにおける３値判別結果が全てＭレベルの場合には、２値判別タイミングＢの２値判別結果として２値判別タイミングＡの２値判別結果を用いてもよい。これにより、３回以上連続して３値判別結果がＭレベルである場合も３値判別結果がレベルＬまたはＨであった過去の時点の２値判別結果を用いて２値判別を行うことができる。すなわち、３値判別タイミングＷ、Ｘ、Ｙにおける３値判別結果が全てＭレベルの場合には、図４によって２値判別できた過去の時点に遡って、その時点の２値判別結果の論理値と同じ論理値であると２値判別する。
【００５１】
［３．効果等］
以上のように、本実施の形態の受信装置１は、差動変換された差動信号を受信し、当該受信された差動信号を２値判別タイミングＢで論理値０に対応する電圧レベルと論理値１に対応する電圧レベルとの間の電圧レベルを基準レベルＶｔｈとして２値信号に判別して出力する受信装置１であって、差動信号を受信して、当該受信された差動信号をデータ信号にそれぞれシングルエンド変換する比較器２と、当該シングルエンド変換されたデータ信号を３つの振幅レベルを示す３値信号Ｈ、Ｍ、Ｌにそれぞれ変換し、２値判別タイミングＢから１ユニットインターバル前までの間にある３値判別タイミングＸにおいて変換された第１の３値信号と、２値判別タイミングＢから１ユニットインターバル後までの間にある３値判別タイミングＹにおいて変換された第２の３値信号とに基づいて、データ信号を２値信号１、０にそれぞれ判別するロジック回路７とを備える。
【００５２】
この構成とすることにより、通常の２値伝送の動作周波数よりも高速で動作する高スペックなデバイスを追加することなしに、スキューの大きい差動信号を２値信号に高精度で判別することが可能となる。
【００５３】
また、ロジック回路７は、２値判別タイミングＢから１ユニットインターバル前の２値判別タイミングＡから１ユニットインターバル前までの間にある第３の３値判別タイミングＷにおいて変換された第３の３値信号に基づいて、データ信号を論理値０もしくは論理値１を示す２値信号に判別して出力する。
【００５４】
この構成とすることにより、各第１の３値信号と第２の３値信号とに基づいて２値信号０、１に判別することが難しい場合でも、さらに第３の信号に基づいてデータ信号を２値信号に判別することができるので、スキューの大きい差動信号を２値信号にさらに高精度で判別することが可能となる。
【００５５】
また、受信装置１は、データ信号を受信して、当該受信されたデータ信号の振幅レベルを、基準レベルＶｔｈと論理値１に対応する電圧レベルとの間にある第１のしきい値レベルＶＨｔｈとそれぞれ比較し、当該それぞれ比較された結果を第１の比較結果信号としてそれぞれ出力する第１の比較器３と、データ信号を受信して、当該受信されたデータ信号の振幅レベルを、基準レベルＶｔｈと論理値０に対応する電圧レベルとの間にある第２のしきい値レベルＶＬｔｈとそれぞれ比較し、当該それぞれ比較された結果を第２の比較結果信号としてそれぞれ出力する第２の比較器４とをさらに備え、ロジック回路７は、各第１の比較結果信号及び各第２の比較結果信号に基づいて、データ信号を３値信号にそれぞれ変換する。
【００５６】
この構成とすることにより、通常の２値伝送の動作周波数よりも高速で動作する高スペックなデバイスを追加することなしに、スキューの大きい差動信号を２値信号に高精度で判別することが可能となる。
【００５７】
さらに、受信装置１は、各第１の比較結果信号と上記各第２の比較結果信号とをそれぞれラッチして保持するシフトレジスタ回路６をさらに備え、当該シフトレジスタ回路６は、３値判別タイミングＷにおける第１の比較結果信号をラッチして保持するレジスタ部６１と、３値判別タイミングＸにおける第１の比較結果信号をラッチして保持するレジスタ部６２と、３値判別タイミングＹにおける第１の比較結果信号をラッチして保持するレジスタ部６３と、３値判別タイミングＷにおける第２の比較結果信号をラッチして保持するレジスタ部６４と、３値判別タイミングＸにおける第２の比較結果信号をラッチして保持するレジスタ部６５と、３値判別タイミングＹにおける第２の比較結果信号をラッチして保持するレジスタ部６６とを備える。
【００５８】
この構成とすることにより、通常の２値伝送の動作周波数よりも高速で動作する高スペックなデバイスを追加することなしに、スキューの大きい差動信号を２値信号に高精度で判別することが可能となる。
【００５９】
（実施の形態２）
上述した実施の形態１に係る受信装置１は、３値判別を行い、スキューが大きい差動信号を論理値０もしくは論理値１を示す２値判別した。これに対して、本実施の形態２に係る受信装置１Ａは、３値判別と従来の２値判別とを切り替える構成を有する。これにより、スキューが大きい差動信号を入力する場合には３値判別を行い、スキューがほとんどない差動信号を入力する場合には２値判別を行うことができる。
【００６０】
［１．構成］
図７は、本開示の実施の形態２に係る受信装置１Ａの構成要素を示すブロック図である。図７の受信装置１Ａは、図１の受信装置１に比較して、ロジック回路７の代わりにロジック回路７Ａを備え、基準レベルＶｔｈを有する第３の比較器８と、レジスタ部９１、９２から構成されたシフトレジスタ回路９とをさらに備えている。
【００６１】
図７において、第３の比較器８は、シングルエンド信号を受信して、当該受信されたシングルエンド信号の振幅レベルを、基準レベルＶｔｈと比較し、当該比較結果を第３の比較結果信号としてシフトレジスタ回路９に出力する。ここで、第３の比較器８は、シングルエンド信号の振幅レベルが基準レベルＶｔｈ以上であるときにはハイ（Ｈｉｇｈ）レベルを示す第３の比較結果信号を出力し、シングルエンド信号の振幅レベルが基準レベルＶｔｈ未満であるときにはロー（Ｌｏｗ）レベルを示す第３の比較結果信号を出力する。
【００６２】
シフトレジスタ回路９は、クロック信号ＣＬＫを用いて、第３の比較器８から出力される第３の比較結果信号をラッチして保持するとともにビットシフトを行う。ここで、第１のレジスタ部９１は、２値判別タイミングＡにおける第３の比較結果信号をラッチして保持する。第２のレジスタ部９２は、２値判別タイミングＢにおける第３の比較結果信号をラッチして保持する。
【００６３】
ロジック回路７Ａは、図１のロジック回路７に比較すると、さらに２値判別タイミングＡおよびＢにおける第３の比較結果信号に基づいて、シングルエンド信号を論理値０もしくは論理値１に２値判別し、当該２値判別に対応する２値信号を出力することが相違する。ここで、ロジック回路７Ａは、上記３値判別結果に基づく２値信号及び上記第３の比較結果信号に基づく２値信号のうち、ビット誤り率が低いほうの２値信号に切り替えて出力する。
【００６４】
［２．動作］
以上のように構成された実施の形態２に係る受信装置１Ａの動作について以下に説明する。なお、実施の形態１との相違点のみ以下に説明する。
【００６５】
ロジック回路７Ａは、所定の条件に基づき、２値判別と３値判別とを切り替える。例えば、ロジック回路７Ａは、ビット誤り率に基づいて２値判別と３値判別とを切り替える。トレーニング信号ＴＳを使用してビット誤り率を測定して２値判別と３値判別とを切り替える方法について以下に説明する。
【００６６】
図８は、図７のロジック回路７Ａから出力される２値信号を２値判別と３値判別との間で切り替えるために使用するトレーニング信号ＴＳの時間ｔに対する振幅レベルの変化を示す時間軸波形図である。受信装置１Ａは、論理値１に対応する電圧レベルと論理値０に対応する電圧レベルとを１ユニットインターバルごとに繰り返す信号（時間ｔ１〜時間ｔ２）を含むトレーニング信号ＴＳを差動変換することにより取得された差動信号を受信する。このとき、ロジック回路７Ａは、当該トレーニング信号ＴＳに含まれるデータ信号のビット誤り率を測定する。この測定は、上記３値判別結果に基づく２値判別をした場合及び上記第３の比較結果信号に基づく２値判別した場合のそれぞれについて行う。ロジック回路７Ａは、これらのビット誤り率を比較し、ビット誤り率が低いほうの２値判別に応じた２値信号を出力する設定に切り替える。すなわち、各３値判別タイミングＷ、Ｘ、Ｙでの３値信号に基づく２値判別に応じた２値信号を出力するのか、シフトレジスタ回路９にラッチされた２値判別タイミングＢでの２値信号を出力するのかを選択する。
【００６７】
また、トレーニング信号ＴＳには、１ユニットインターバルよりも長い時間（図８の時間ｔ０〜時間ｔ１）の論理値０に対応する電圧レベルＶ０の信号を含む。従って、ロジック回路７Ａは、１ユニットインターバルよりも長い時間の論理値０に対応する電圧レベルＶ０の信号を受信することにより、トレーニング信号ＴＳが受信されたことを検出してビット誤り率の測定を開始する。このような構成とすることにより、図４に図示するように、３値判別タイミングＸにおける振幅レベルがロー（Ｌ）レベルでありかつタイミングＹにおける振幅レベルがハイ（Ｈ）レベルの場合や３値判別タイミングＸにおける振幅レベルがハイ（Ｈ）レベルでありかつタイミングＹにおける振幅レベルがロー（Ｌ）レベルの場合などのように２つの３値判別タイミングＸ、Ｙにおける３値信号から２値信号を判別することが難しい場合でも、本実施の形態に係る第３の比較器８によって判別された２値信号を出力することができる。よって、スキューがほとんどない差動信号でも論理値１もしくは論理値０を示す２値判別することが可能となる。
【００６８】
なお、上述したトレーニング信号ＴＳは、１ユニットインターバルよりも長い時間（図８の時間ｔ０〜時間ｔ１）の論理値０に対応する電圧レベルＶ０の信号を含むとしたが、１ユニットインターバルよりも長い時間（図８の時間ｔ０〜時間ｔ１）の論理値１に対応する電圧レベルＶ１の信号を含んでもよい。この場合には、１ユニットインターバルよりも長い時間の論理値１に対応する電圧レベルＶ１の信号を受信することにより、トレーニング信号ＴＳが受信されたことを検出してビット誤り率の測定を開始する。
【００６９】
［３．効果等］
以上のように、本実施の形態において、受信装置１Ａは、上述した実施の形態１に係る受信装置１に比較すると、データ信号を受信して、当該受信されたデータ信号の振幅レベルを、基準レベルＶｔｈとそれぞれ比較し、当該それぞれ比較された結果を第３の比較結果信号としてそれぞれ出力する第３の比較器８をさらに備え、ロジック回路７Ａは、各第３の比較結果信号に基づいて、データ信号を論理値０もしくは論理値１を示す２値信号にそれぞれ判別して出力する。
【００７０】
この構成とすることにより、受信装置１Ａは、２値信号を２値判別と３値判別との間で切り替えることが可能となる。従って、受信装置１Ａは、上述した実施の形態１に係る受信装置１に比較すると、スキューが小さい差動信号でも２値信号に判別することが可能となる。
【００７１】
また、受信装置１Ａは、当該受信装置１Ａが論理値１に対応する電圧レベルと論理値０に対応する電圧レベルとを１ユニットインターバルごとに繰り返すトレーニング信号ＴＳを差動変換することにより取得された差動信号を受信したときに、ロジック回路７Ａは、トレーニング信号ＴＳによるデータ信号のビット誤り率に基づいて、当該ビット誤り率が低いほうの２値信号に切り替えて出力する。
【００７２】
この構成とすることにより、受信装置１Ａは、上述した実施の形態１に係る受信装置１に比較すると、トレーニング信号ＴＳを受信したときのビット誤り率に基づいて適切な２値信号を受信することができるので、スキューが大きな差動信号であるかもしくはスキューが小さい差動信号であるかに関わらず、差動信号を２値信号に高精度で判別することが可能となる。
【００７３】
また、トレーニング信号ＴＳは、１ユニットインターバルよりも長い時間の論理値０に対応する電圧レベルもしくは論理値１に対応する電圧レベルの信号を含む。
【００７４】
この構成とすることにより、受信装置１Ａは、トレーニング信号ＴＳを受信したことを検出することができるので、ビット誤り率を測定するタイミングを検出することが可能となる。
【００７５】
なお、本実施の形態では、ビット誤り率を測定するためにトレーニング信号ＴＳを使用したが、本開示はこれに限定されない。例えば、ロジック回路７Ａは、入力した信号のビット誤り率を測定して、２値判別と３値判別とのいずれが適しているかを判断し、この判断に基づいて、２値判別と３値判別との間を切り替えてもよい。
【００７６】
（実施の形態３）
上述した実施の形態２に係る受信装置１Ａは、トレーニング信号ＴＳを受信することにより、各３値判別タイミングＷ、Ｘ、Ｙでの３値信号から判別された２値信号を出力するのか、シフトレジスタ回路９にラッチされた２値信号を出力するのかを切り替えたが、本開示はこれに限らない。例えば、本実施の形態のように、２値判別タイミングＡ及びＢにおいても３値信号に変換し、当該変換された３値信号に基づいて各３値判別タイミングＷ、Ｘ、Ｙでの３値信号から判別された２値信号を出力するのか、シフトレジスタ回路９にラッチされた２値信号を出力するのかを切り替えてもよい。
【００７７】
［１．構成］
図９は、本開示の実施の形態３に係る受信装置１Ｂ構成要素を示すブロック図である。図９の受信装置１Ｂは、図７の受信装置１Ａに比較すると、ロジック回路７Ａの代わりにロジック回路７Ｂを備え、第１の比較器３の代わりに第１の比較器３Ａを備え、第２の比較器４の代わりに第１の比較器４Ａを備え、レジスタ部１１１〜１１４から構成されたシフトレジスタ回路１１をさらに備えている。
【００７８】
第１の比較器３Ａは、シングルエンド信号を受信して、当該受信されたシングルエンド信号の振幅レベルを基準レベルＶｔｈと論理値１に対応する電圧レベルとの間にある第１のしきい値レベルＶＨｔｈと比較し、当該比較結果を第１の比較結果信号としてシフトレジスタ回路６及びシフトレジスタ回路１１に出力する。ここで、第１の比較器３Ａは、シングルエンド信号の振幅レベルが第１のしきい値レベルＶＨｔｈ以上であるときにはハイ（Ｈｉｇｈ）レベルを示す第１の比較結果信号を出力し、シングルエンド信号の振幅レベルが第１のしきい値レベルＶＨｔｈ未満であるときにはロー（Ｌｏｗ）レベルを示す第１の比較結果信号を出力する。
【００７９】
第２の比較器４Ａは、シングルエンド信号を受信して、当該受信されたシングルエンド信号の振幅レベルを基準レベルＶｔｈと論理値０に対応する電圧レベルとの間にある第２のしきい値レベルＶＬｔｈと比較し、当該比較結果を第２の比較結果信号としてシフトレジスタ回路６及びシフトレジスタ回路１１に出力する。ここで、第２の比較器４Ａは、シングルエンド信号の振幅レベルが第２のしきい値レベルＶＬｔｈ以上であるときにはハイ（Ｈｉｇｈ）レベルを示す第２の比較結果信号を出力し、シングルエンド信号の振幅レベルが第２のしきい値レベルＶＬｔｈ未満であるときにはロー（Ｌｏｗ）レベルを示す第２の比較結果信号を出力する。
【００８０】
シフトレジスタ回路１１は、クロック信号ＣＬＫを用いて、第１の比較器３Ａから出力される第１の比較結果信号及び第２の比較器４Ａから出力される第２の比較結果信号をラッチして保持するとともにビットシフトを行う。ここで、レジスタ部１１１は、２値判別タイミングＡにおける第１の比較結果信号をラッチして保持する。レジスタ部１１２は、２値判別タイミングＢにおける第１の比較結果信号をラッチして保持する。レジスタ部１１３は、２値判別タイミングＡにおける第２の比較結果信号をラッチして保持する。レジスタ部１１４は、２値判別タイミングＢにおける第２の比較結果信号をラッチして保持する。
【００８１】
ロジック回路７Ｂは、図１のロジック回路７に比較すると、以下の点が異なる。すなわち、ロジック回路７Ｂは、シフトレジスタ回路１１においてラッチして保持された第１の比較結果信号及び第２の比較結果信号に基づいて、上述した図３の表に従って、各３値判別タイミングＷ、Ｘ、Ｙにおけるシングルエンド信号を３つの振幅レベルを示す３値信号Ｈ、Ｍ、Ｌに変換し、当該変換された３値信号Ｈ、Ｍ、Ｌに基づいて２値判別し、当該２値判別に対応する２値信号を出力するのか、シフトレジスタ回路９にラッチされた２値信号を出力するのかを切り替える。
【００８２】
［２．動作］
以上のように構成された実施の形態３に係る受信装置１Ｂの動作について以下に説明する。なお、実施の形態２との相違点のみ以下に説明する。
【００８３】
図１０は、図９の受信装置１Ｂが受信するデータ信号の時間に対する振幅レベルの変化を示す時間軸波形図である。図１０において、ロジック回路７Ｂは、ポイント２０〜２３を用いてデータ信号の振幅レベルを３値信号に変換し、当該変換された３値信号に基づいて、いずれの２値信号を出力するのかを選択する。図１０において、２値判別タイミングＡおよびＢにおいて、データ信号の振幅レベルがミドルレベルを有する場合には、ロジック回路７Ｂは、３値判別タイミングＷ、Ｘ、Ｙにおいて、当該シングルエンド変換されたデータ信号を３つの振幅レベルを示す３値信号Ｈ、Ｍ、Ｌにそれぞれ変換し、当該変換された３値信号に基づいて、データ信号を２値判別して２値信号を出力する。あるいは、ロジック回路７Ｂは、少なくとも２値判別タイミングＢおいて、シングルエンド信号の振幅レベルがミドルレベルである場合には、３値判別タイミングＷ、Ｘ、Ｙにおけるシングルエンド信号を３値信号にそれぞれ変換し、当該変換された３値信号に基づいて、シングルエンド信号を２値判別して２値信号を出力してもよい。
【００８４】
［３．効果等］
以上のように、本実施の形態において、受信装置１Ｂは、上述した実施の形態２に係る受信装置１Ａに比較すると、ロジック回路７Ｂは、２値判別タイミングＡ及び２値判別タイミングＢにおいてデータ信号を３つの振幅レベルを示す第４及び第５の３値信号にそれぞれ変換し、当該変換された第４及び第５の３値信号に基づいて、当該ビット誤り率が低いほうの２値信号に切り替えて出力する。
【００８５】
この構成とすることにより、受信装置１Ｂは、上述した実施の形態１に係る受信装置１に比較すると、スキューが大きな差動信号であるかもしくはスキューが小さい差動信号であるかに関わらず、差動信号を２値信号に高精度で判別することが可能となる。
【００８６】
（実施の形態４）
［１．構成］
図１１は、本開示の実施の形態４に係る受信装置１Ｃの構成要素を示すブロック図である。図１１の受信装置１Ｃは、図７の受信装置１Ａに比較すると、ロジック回路７Ａの代わりにロジック回路７Ｃを備え、差動信号を入力し、当該入力された差動信号を上記シングルエンド信号にシングルエンド変換する比較器２の前段に可変遅延回路１０ａ、１０ｂから構成された可変遅延部１０をさらに備えている。
【００８７】
図１１において、可変遅延部１０は、差動信号が比較器２に入力されるタイミングを調整して差動信号の差動間スキューを調整する。すなわち、可変遅延回路１０ａは、差動信号のプラス信号が比較器２に入力されるタイミングを遅延させ、可変遅延回路１０ｂは、差動信号のマイナス信号が比較器２に入力されるタイミングを遅延させる。なお、本実施の形態では、差動信号のプラス信号及びマイナス信号が比較器２にそれぞれ入力されるタイミングをそれぞれ遅延させたが、いずれか一方だけに可変遅延回路を設けて差動間スキューを調整してもよい。
【００８８】
ロジック回路７Ｃは、実施の形態２に係るロジック回路７Ａに比較すると、差動信号の差動間スキューを調整するように可変遅延回路１０ａ、１０ｂを制御することが相違する。すなわち、ロジック回路７Ｃは、差動信号のプラス信号が比較器２に入力されるタイミングと、差動信号のマイナス信号が比較器２に入力されるタイミングとを調整することにより、差動信号の差動間スキューを調整する。
【００８９】
［２．動作］
以上のように構成された実施の形態４に係る受信装置１Ｃの動作は、上述した実施の形態２に係る受信装置１Ａに比較すると、差動信号の差動間スキューの大きさを調整できることが相違する。
【００９０】
［３．効果等］
以上のように、本実施の形態において、受信装置１Ｃは、上述した実施の形態２に係る受信装置１Ａに比較すると、比較器２の前段に遅延回路部１０をさらに備え、当該遅延回路部１０は、差動信号が比較器２に入力されるタイミングを調整し、ロジック回路７Ｃは、差動信号の差動間スキューを調整するように遅延回路部１０を制御する。
【００９１】
この構成とすることにより、シフトレジスタ回路９にラッチされた２値信号を優先的に出力するように調整することが可能となる。従って、ディファレンシャルモード成分を大きくして２値信号を受信しやすくするとともに、コモンモード成分を低減して放射ノイズを低減することができる。
【００９２】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。
【００９３】
例えば、上述した実施の形態では、比較器２は差動信号を直流結合状態で受信したが、本開示はこれに限定されない。例えば、比較器２の前段に差動信号の直流成分をカットするためのカップリングキャパシタをさらに備えてもよい。この場合においても、上述した実施の形態と同様の効果を得ることができる。
【００９４】
また、上述した実施の形態では、３値判別タイミングＸで振幅レベルがミドル（Ｍ）レベルでありかつ３値判別タイミングＹでの振幅レベルがミドル（Ｍ）レベルの場合には、さらにひとつ前の３値判別タイミングＷの結果を用いることにより２値信号を判別したが、本開示はこれに限定されない。例えば、２値判別タイミングＡでの２値信号が判別できる場合には、当該判別された２値信号を用いて２値判別タイミングＢでの２値信号を判別してもよい。
【００９５】
また、上述した実施の形態では、クロック信号ＣＬＫを遅延することにより得られたクロック信号を各レジスタ部６１〜６６に入力したが、本開示はこれに限定されない。例えば、クロック信号ＣＬＫを遅延することにより得られたクロック信号を各レジスタ部９１、９２に入力してもよい。この場合には、３値判別タイミングＷ、Ｘ、Ｙはクロック信号ＣＬＫにより生成され、２値判別タイミングＡ、Ｂはクロック信号ＣＬＫを遅延することにより得られたクロック信号により生成される。
【００９６】
以上のように、本開示における技術の例示として、実施の形態を説明した。そのために、添付図面及び詳細な説明を提供した。
【００９７】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９８】
また、上述の実施の形態は、本開示における技術を例示するためのものであるから、特許請求の範囲又はその均等の範囲において種々の変更、置き換え、付加、省略などを行うことができる。
【００９９】
以上説明したように、第１の態様に係る受信装置は、差動変換された差動信号を受信し、当該受信された差動信号を第１の２値判別タイミングで論理値０に対応する電圧レベルと論理値１に対応する電圧レベルとの間の電圧レベルを基準レベルとして２値信号に判別して出力する受信装置であって、上記差動信号を受信して、当該受信された差動信号をデータ信号にそれぞれシングルエンド変換する差動増幅部と、当該シングルエンド変換されたデータ信号を３つの振幅レベルを示す３値信号にそれぞれ変換し、上記第１の２値判別タイミングから１ユニットインターバル前までの間にある第１の３値判別タイミングにおいて変換された第１の３値信号と、上記第１の２値判別タイミングから１ユニットインターバル後までの間にある第２の３値判別タイミングにおいて変換された第２の３値信号とに基づいて、上記データ信号を２値信号にそれぞれ判別するロジック回路とを備えている。
【０１００】
従って、通常の２値伝送の動作周波数よりも高速で動作する高スペックなデバイスを追加することなしに、スキューの大きい差動信号を２値信号に高精度で判別することが可能となる。
【０１０１】
第２の態様に係る受信装置は、第１の態様に係る受信装置において、上記ロジック回路は、上記第１の２値判別タイミングから１ユニットインターバル前の第２の２値判別タイミングから１ユニットインターバル前までの間にある第３の３値判別タイミングにおいて変換された第３の３値信号に基づいて、上記データ信号を論理値０もしくは論理値１を示す２値信号に判別して出力する。
【０１０２】
従って、各第１の３値信号と第２の３値信号とに基づいて２値信号０、１に判別することが出来ない場合でも、さらに第３の信号に基づいてデータ信号を２値信号に判別することができるので、スキューの大きい差動信号を２値信号にさらに高精度で判別することが可能となる。
【０１０３】
第３の態様に係る受信装置は、第１又は第２の態様に係る受信装置において、上記データ信号を受信して、当該受信されたデータ信号の振幅レベルを、上記基準レベルと上記論理値１に対応する電圧レベルとの間にある第１のしきい値レベルとそれぞれ比較し、当該それぞれ比較された結果を第１の比較結果信号としてそれぞれ出力する第１の比較器と、上記データ信号を受信して、当該受信されたデータ信号の振幅レベルを、上記基準レベルと上記論理値０に対応する電圧レベルとの間にある第２のしきい値レベルとそれぞれ比較し、当該それぞれ比較された結果を第２の比較結果信号としてそれぞれ出力する第２の比較器とをさらに備え、上記ロジック回路は、上記各第１の比較結果信号及び上記各第２の比較結果信号に基づいて、上記データ信号を上記３値信号にそれぞれ変換する。
【０１０４】
従って、通常の２値伝送の動作周波数よりも高速で動作する高スペックなデバイスを追加することなしに、スキューの大きい差動信号を２値信号に高精度で判別することが可能となる。
【０１０５】
第４の態様に係る受信装置は、第１から第３までの態様のうちのいずれか１つの態様に係る受信装置において、上記各第１の比較結果信号と上記各第２の比較結果信号とをそれぞれラッチして保持するシフトレジスタ回路をさらに備えている。
【０１０６】
第５の態様に係る受信装置は、第４の態様に係る受信装置において、上記シフトレジスタ回路は、
上記第１の３値判別タイミングにおける上記第１の比較結果信号をラッチして保持する第１のレジスタ部と、上記第１の３値判別タイミングにおける上記第２の比較結果信号をラッチして保持する第２のレジスタ部と、上記第２の３値判別タイミングにおける上記第１の比較結果信号をラッチして保持する第３のレジスタ部と、上記第２の３値判別タイミングにおける上記第２の比較結果信号をラッチして保持する第４のレジスタ部と、上記第３の３値判別タイミングにおける上記第１の比較結果信号をラッチして保持する第５のレジスタ部と、上記第３の３値判別タイミングにおける上記第２の比較結果信号をラッチして保持する第６のレジスタ部とを備えている。
【０１０７】
従って、通常の２値伝送の動作周波数よりも高速で動作する高スペックなデバイスを追加することなしに、スキューの大きい差動信号を２値信号に高精度で判別することが可能となる。
【０１０８】
第６の態様に係る受信装置は、第１から第５までの態様のうちのいずれか１つの態様に係る受信装置において、上記データ信号を受信して、当該受信されたデータ信号の振幅レベルを、上記基準レベルとそれぞれ比較し、当該それぞれ比較された結果を第３の比較結果信号としてそれぞれ出力する第３の比較器をさらに備え、上記ロジック回路は、上記各第３の比較結果信号に基づいて、上記データ信号を論理値０もしくは論理値１を示す２値信号にそれぞれ判別して出力する。
【０１０９】
従って、受信装置は、２値信号を２値判別と３値判別との間で切り替えることが可能となる。従って、受信装置は、第１の態様に係る受信装置に比較すると、スキューが小さい差動信号でも２値信号に判別することが可能となる。
【０１１０】
第７の態様に係る受信装置は、第６の態様に係る受信装置において、上記受信装置が論理値１に対応する電圧レベルと論理値０に対応する電圧レベルとを１ユニットインターバルごとに繰り返すトレーニング信号を差動変換することにより取得された上記差動信号を受信したときに、上記ロジック回路は、上記トレーニング信号による上記データ信号のビット誤り率に基づいて、当該ビット誤り率が低いほうの２値信号に切り替えて出力する。
【０１１１】
従って、受信装置は、第１の態様に係る受信装置に比較すると、トレーニング信号を受信したときのビット誤り率に基づいて適切な２値信号を受信することができるので、スキューが大きな差動信号であるかもしくはスキューが小さい差動信号であるかに関わらず、差動信号を２値信号に高精度で判別することが可能となる。
【０１１２】
第８の態様に係る受信装置は、第７の態様に係る受信装置において、上記トレーニング信号は、１ユニットインターバルよりも長い時間の論理値０に対応する電圧レベルもしくは論理値１に対応する電圧レベルの信号を含む。
【０１１３】
従って、受信装置は、トレーニング信号を受信したことを検出することができるので、ビット誤り率を測定するタイミングを検出することが可能となる。
【０１１４】
第９の態様に係る受信装置は、第６から第８までの態様のうちのいずれか１つの態様に係る受信装置において、上記ロジック回路は、上記第１の２値判別タイミング及び上記第２の２値判別タイミングにおいて上記データ信号を３つの振幅レベルを示す第４及び第５の３値信号にそれぞれ変換し、当該変換された第４及び第５の３値信号に基づいて、当該ビット誤り率が低いほうの２値信号に切り替えて出力する。
【０１１５】
従って、受信装置は、第１の態様に係る受信装置に比較すると、スキューが大きな差動信号であるかもしくはスキューが小さい差動信号であるかに関わらず、差動信号を２値信号に高精度で判別することが可能となる。
【０１１６】
第１０の態様に係る受信装置は、第１から第９までの態様のうちのいずれか１つの態様に係る受信装置において、上記差動増幅部の前段に遅延回路部をさらに備え、上記遅延回路部は、上記差動信号が上記差動増幅部に入力されるタイミングを調整し、上記ロジック回路は、上記差動信号の差動間スキューを調整するように上記遅延回路部を制御する。
【０１１７】
従って、シフトレジスタ回路９にラッチされた２値信号を優先的に出力するように調整することが可能となる。従って、ディファレンシャルモード成分を大きくして２値信号を受信しやすくするとともに、コモンモード成分を低減して放射ノイズを低減することができる。
【産業上の利用可能性】
【０１１８】
本開示は、２値信号を受信する機能を有し、高速差動信号を受信する受信装置であれば適用可能である。具体的には、例えばテレビと録画機とを接続するＨＤＭＩ（登録商標）ケーブルなどの差動信号の差動間スキューが大きいケーブルを使用する信号伝送システムなどに、本開示は適用可能である。
【符号の説明】
【０１１９】
１，１Ａ，１Ｂ，１Ｃ…受信装置、
２，３，４，８，３Ａ，４Ａ…比較器、
５…遅延回路、
６，９，１１…シフトレジスタ回路、
６１〜６６，９１，９２，１１１〜１１４…レジスタ部、
７，７Ａ，７Ｂ，７Ｃ…ロジック回路、
１０…遅延回路部、
１０ａ，１０ｂ…可変遅延回路。
【図１】
0006504354.tif 000002
【図２】
0006504354.tif 000003
【図３】
0006504354.tif 000004
【図４】
0006504354.tif 000005
【図５】
0006504354.tif 000006
【図６】
0006504354.tif 000007
【図７】
0006504354.tif 000008
【図８】
0006504354.tif 000009
【図９】
0006504354.tif 000010
【図１０】
0006504354.tif 000011
【図１１】
0006504354.tif 000012
【図１２】
0006504354.tif 000013